(57)【要約】【課題】  表示面の傷やかすれを防止し保護すると共に、本体形状が曲線や凹凸のある用具にも対応でき、表示面を保護する部品が剥離するという問題点を解決した、表示面の保護部品を提供する。【解決手段】  角形の挿入部が狭く後端部が広いテーパー状の内部部品１の胴部に、絵や文字を印刷シート２の貼付により表示し、内部部品１のテーパーに適合させた入り口が広く後端部が狭い角形のテーパー状の空洞部３を有する透明な樹脂の外部部品４に内部部品１を挿入し、超音波溶着又は接着剤を用いて一体化する。【選択図】図１
2013159404.tif 000002
【特許請求の範囲】
【請求項１】
円形や角形の挿入部が狭く後端部が広いテーパー状の内部部品の胴部に、絵や文字を印刷シートの貼付や直接印刷により表示あるいは彫刻や成型により表示し、内部部品のテーパーに適合させた入り口が広く後端部が狭い円形や角形のテーパー状の空洞部を有する透明な樹脂の外部部品に内部部品を挿入し、超音波溶着又は接着剤を用いて一体化することを特徴とする表示面の保護部品。
【請求項２】
円柱や角柱の内部部品の胴部にマイナスの段差を設け、マイナスの段差を設けた部分に絵や文字を印刷シートの貼付や直接印刷により表示あるいは彫刻や成型により表示し、内部部品が挿入される空洞部を有する透明な樹脂の外部部品に内部部品を挿入し、超音波溶着又は接着剤を用いて一体化することを特徴とする表示面の保護部品。
【請求項３】
円柱や角柱の形状部品に切りかき部を設け、切りかき部の表面に絵や文字を印刷シートの貼付や直接印刷により表示あるいは彫刻や成型により表示し、切りかき部を埋める裏面の四方側面に縁を設けた凹状の面を形成した透明な樹脂の蓋を切りかき部に合わせ、超音波溶着又は接着剤を用いて一体化することを特徴とする表示面の保護部品。
【請求項４】
内部部品や内部部品に相当する部位の中心部に空洞部分を設け、空洞部分に他の部品を挿入することを特徴とする請求項１、請求項２、請求項３に記載の表示面の保護部品。
【発明の詳細な説明】
【技術分野】
【０００１】  本発明は、保護部品に他の部品を合体させ、食事用具や筆記用具等の持ち手部分としたり、使い捨てライター等を用いて、絵や文字の印刷又は彫刻や成型による表示面を透明な樹脂で保護し、その品物の表示面の傷やかすれを防止する技術に関するものである。
【背景技術】
【０００２】  従来より、プラスチックシートに、あらかじめ広告等を印刷したＣＰＰ又はＯＰＰフイルムをサーマルラミネート方式にてラミネートを施し企業の広告用品等を製造する技術が知られている。この方法は、シート状の用品等には最適な技術であるが、広告用品等の形状が曲線や凹凸のある製品には適さないという問題点がある。【０００３】  特許文献１には、印刷面保護の記述はありませんが、特殊形状物品の胴部の一部指定箇所に接着剤を塗布し、この接着剤により印刷シートを仮止めして巻回し、この外周に熱収縮性の透明チューブをかぶせて熱収縮したことを特徴とする熱収縮被覆物が提案されている。この方法は、広告用品等の形状が曲線や多少の凹凸のある用具にも適応する技術であるが、印刷面の保護に熱収縮被覆物を用いているため、特殊形状物品本体と熱収縮被覆物とが剥離するという問題点がある。【０００４】
【特許文献１】特開平０７−０４４１０２号公報
【発明の開示】
【発明が解決しようとする課題】
【０００５】  そこで本発明は、表示面の傷やかすれを防止し保護すると共に、本体形状が曲線や凹凸のある用具にも対応でき、表示面を保護する部品が剥離するという問題点を解決した、表示面の保護部品を提供することを目的とする。
【課題を解決するための手段】
【０００６】  上記の課題を達成するため、請求項１に記載した表示面の保護部品は、円形や角形の挿入部が狭く後端部が広いテーパー状の内部部品の胴部に、絵や文字を印刷シートの貼付や直接印刷により表示あるいは彫刻や成型により表示し、内部部品のテーパーに適合させた入り口が広く後端部が狭い円形や角形のテーパー状の空洞部を有する透明な樹脂の外部部品に内部部品を挿入し、超音波溶着又は接着剤を用いて一体化することを特徴としている。【０００７】  この発明は、挿入部が狭く後端部が広いテーパー状の内部部品とテーパーに適合させた空洞部を有する透明な樹脂の外部部品との構成により、内部部品と外部部品のテーパー面は挿入完了時に接触するため、挿入時に印刷あるいは彫刻や成型による表示の損傷がなく、本体形状が曲線や凹凸のある用具にも対応でき、表示面を保護する部品が剥離するという問題点を解決した部品として提供できる。【０００８】  請求項２に記載の表示面の保護部品は、円柱や角柱の内部部品の胴部にマイナスの段差を設け、マイナスの段差を設けた部分に絵や文字を印刷シートの貼付や直接印刷により表示あるいは彫刻や成型により表示し、内部部品が挿入される空洞部を有する透明な樹脂の外部部品に内部部品を挿入し、超音波溶着又は接着剤を用いて一体化することを特徴としている。【０００９】  この発明は、柱状の内部部品外面と内部部品が挿入される空洞部を有する透明な樹脂の外部部品の空洞部面とが挿入時に接触することによる表示面の損傷を防止するため、内部部品外面の印刷面とする部分にマイナスの段差を設けることにより、挿入時に印刷あるいは彫刻や成型による表示の損傷がなく、本体形状が曲線や凹凸のある用具にも対応でき、表示面を保護する部品が剥離するという問題点を解決した部品として提供できる。【００１０】  請求項３に記載の表示面の保護部品は、円柱や角柱の形状部品に切りかき部を設け、切りかき部の表面に絵や文字を印刷シートの貼付や直接印刷により表示あるいは彫刻や成型により表示し、切りかき部を埋める裏面の四方側面に縁を設けた凹状の面を形成した透明な樹脂の蓋を切りかき部に合わせ、超音波溶着又は接着剤を用いて一体化することを特徴としている。【００１１】  この発明は、切りかき部を設けた本体と切りかき部を埋める蓋との構成により、組み込み時に印刷あるいは彫刻や成型による表示の損傷がなく、本体形状が曲線や凹凸のある用具にも対応でき、表示面を保護する部品が剥離するという問題点を解決した部品として提供できる。【００１２】  請求項４に記載の表示面の保護部品は、内部部品や内部部品に相当する部位の中心部に空洞部分を設け、空洞部分に他の部品を挿入することを特徴としている。【００１３】  この発明は、内部部品や内部部品に相当する部位の中心部に設けた空洞部分に、他の部品を挿入することにより、多目的な用途の部品として提供できる。
【発明の効果】
【００１４】  以上説明したように請求項１の発明によれば、内部部品と外部部品のテーパー面は挿入完了時に接触するため、挿入時に印刷あるいは彫刻や成型による表示の損傷がなく、本体形状が曲線や凹凸のある用具にも対応でき、表示面を保護する部品が剥離するという問題点を解決できる。【００１５】  請求項２の発明によれば、内部部品外面の印刷面とする部分にマイナスの段差を設けることにより、挿入時に印刷あるいは彫刻や成型による表示の損傷がなく、本体形状が曲線や凹凸のある用具にも対応でき、表示面を保護する部品が剥離するという問題点を解決できる。【００１６】  請求項３の発明によれば、切りかき部と蓋との構成により、組み込み時に印刷あるいは彫刻や成型による表示の損傷がなく、本体形状が曲線や凹凸のある用具にも対応でき、表示面を保護する部品が剥離するという問題点を解決できる。【００１７】  請求項４の発明によれば、他の部品を挿入できる構造としたため、多目的な用途の部品に対応できる。
【発明を実施するための最良の形態】
【００１８】  以下、本発明の実施形態を図１〜図６を参照して詳細に説明する。図１は本発明の実施例１で使用する表示面の保護部品の斜視図、図２は本発明の実施例２で使用する表示面の保護部品の斜視図、図３は本発明の実施例３で使用する表示面の保護部品の斜視図、図４は本発明の実施例４で使用する表示面の保護部品の斜視図、図５は本発明の実施例５で使用する表示面の保護部品の正面図と側面図、図６は本発明の実施例６で使用する表示面の保護部品の斜視図である。【００１９】  実施例１として図１に示す表示面の保護部品は、角形の挿入部が狭く後端部が広いテーパー状の内部部品１の胴部に、絵や文字を印刷シート２の貼付により表示し、内部部品１のテーパーに適合させた入り口が広く後端部が狭い角形のテーパー状の空洞部３を有する透明な樹脂の外部部品４に内部部品１を挿入し、超音波溶着又は接着剤を用いて一体化すると、内部部品１のテーパー面に貼付した印刷シート２と外部部品４のテーパー面は挿入完了時に接触するため、内部部品１の胴部にマイナスの段差を設けなくても、挿入による表示の損傷が防止でき、一体化後には透明な樹脂の外部部品４により、印刷シート２の貼付による表示が保護され外部と隔離される。そして、この部品の端面に例えば、箸やスプーン等の部品を合体させれば、表示面の保護を施した食事用具の持ち手部分とすることができる。【００２０】  実施例２として図２に示す表示面の保護部品は、楕円形の挿入部が狭く後端部が広いテーパー状の市販の使い捨てライター５の胴部に、絵や文字を印刷シート６の貼付により表示し、使い捨てライター５のテーパーに適合させた入り口が広く後端部が狭い楕円形のテーパー状の空洞部７を有する透明な樹脂の外部部品８に使い捨てライター５を挿入し、超音波溶着又は接着剤を用いて一体化すると、使い捨てライター５のテーパー面に貼付した印刷シート６と外部部品８のテーパー面は挿入完了時に接触するため、使い捨てライター５が素材のままでも、挿入による表示の損傷が防止でき、一体化後には透明な樹脂の外部部品８により、印刷シート６の貼付による表示が保護され外部と隔離され、表示面の保護を施したライターとすることができる。【００２１】  実施例３として図３に示す表示面の保護部品は、円柱の内部部品９の胴部にマイナスの段差１０を設け、マイナスの段差１０を設けた部分に絵や文字を印刷シート１１の貼付により表示し、内部部品９が挿入される空洞部１２を有する透明な樹脂の外部部品１３に内部部品９を挿入し、超音波溶着又は接着剤を用いて一体化すると、円柱の内部部品９に貼付した印刷シート１１と外部部品１３の空洞部１２内面とが挿入時に接触しないため、挿入による表示の損傷が防止でき、一体化後には透明な樹脂の外部部品１３により、印刷シート１１の貼付による表示が保護され外部と隔離される。そして、この部品の端面に例えば、箸やスプーン等の部品を合体させれば、表示面の保護を施した食事用具の持ち手部分とすることができる。【００２２】  実施例４として図４に示す表示面の保護部品は、角柱の内部部品１４の胴部にマイナスの段差１５を設け、マイナスの段差１５を設けた部分に絵や文字を印刷シート１６の貼付により表示し、内部部品１��が挿入される空洞部１７を有する透明な樹脂の外部部品１８に内部部品１４を挿入し、超音波溶着又は接着剤を用いて一体化すると、角柱の内部部品１４に貼付した印刷シート１６と外部部品１８の空洞部１７内面とが挿入時に接触しないため、挿入による表示の損傷が防止でき、一体化後には透明な樹脂の外部部品１８により、印刷シート１６の貼付による表示が保護され外部と隔離される。そして、この部品の端面に例えば、箸やスプーン等の部品を合体させれば、表示面の保護を施した食事用具の持ち手部分とすることができる。【００２３】  実施例５として図５に示す表示面の保護部品は、角柱の形状部品１９に切りかき部２０を設け、切りかき部２０の表面に絵や文字を印刷シート２１の貼付により表示し、切りかき部２０を埋める裏面の四方側面に縁２２を設けた凹状の面を形成した透明な樹脂の蓋２３を切りかき部２０に合わせ、超音波溶着又は接着剤を用いて一体化すると、角柱の形状物品１９に貼付した印刷シート２１と蓋２３との隙間が縁２２が溶解するまで維持されるため、組み込みによる表示の損傷が防止でき、一体化後には切りかき部２０を埋める透明な樹脂の蓋２３により、印刷シート２１の貼付による表示が保護され外部と隔離される。そして、この部品の端面に例えば、箸やスプーン等の部品を合体させれば、表示面の保護を施した食事用具の持ち手部分とすることができる。【００２４】  実施例６として図６に示す表示面の保護部品は、空洞部分２４を設けた円形の挿入部が狭く後端部が広いテーパー状の内部部品２５の胴部に、絵や文字を印刷シート２６の貼付により表示し、内部部品２５のテーパーに適合させた入り口が広く後端部が狭い円形のテーパー状の空洞部２７を有する透明な樹脂の外部部品２８に内部部品２５を挿入し、超音波溶着又は接着剤を用いて一体化した後、空洞部分２４に接合用内ネジ２９を設けた回転捜査式三色ボールペンユニット３０を挿入し内部部品２５に組み込んで、外部部品２８と内部部品２５と回転捜査式三色ボールペンユニット３０とを一体化し、ボールペン先端部３１を回転させ、ボールペン先端部３１の接合用外ネジ３２と回転捜査式三色ボールペンユニット３０の接合用内ネジ２９とを接合すると、表示面の保護を施した筆記用具として提供できる。
この実施例６では、表示面の保護を施す部分を内部部品２５と外部部品２８により構成しているが、ボールペン先端部３１の外形をテーパー状にした内部部品として、内部部品のテーパーに適合させた円形のテーパー状の空洞部を有する透明な樹脂の外部部品との構成による表示面の保護とすることも可能である。【００２５】  実施例１（図１）、実施例３（図３）、実施例４（図４）では、内部部品１、９、１４の形状と外部部品４、１３、１８の形状を同一の形状としているが、平行面やテーパー面に加工された円形や楕円形や四角形や五角形や６角形状の内部部品の胴部に適合させた空胴部を有する透明な樹脂の外部部品４、１３、１８との異なる形状の組み合わせも可能である。【００２６】  実施例１（図１）〜実施例６（図６）では、絵や文字を印刷シート２、６、１１、１６、２１、２６の貼付により表示しているが、直接印刷により表示あるいは彫刻や成型により表示することも可能であり、表示方法を限定するものではない。
また、図１〜図６には示していないが、内部部品１、９、１４、２５や使い捨てライター５や角柱の形状部品１９の胴部全ての面に表示することにより、限られた表示面が有効に活用され、さらなる視覚効果の向上が期待できる。
【図面の簡単な説明】
【００２７】
【図１】本発明の実施例１で使用する表示面の保護部品の斜視図である。
【図２】本発明の実施例２で使用する表示面の保護部品の斜視図である。
【図３】本発明の実施例３で使用する表示面の保護部品の斜視図である。
【図４】本発明の実施例４で使用する表示面の保護部品の斜視図である。
【図５】本発明の実施例５で使用する表示面の保護部品の正面図と側面図である。
【図６】本発明の実施例６で使用する表示面の保護部品の斜視図である。
【符号の説明】
【００２８】１      内部部品
２      印刷シート
３      空洞部
４      外部部品
５      使い捨てライター
６      印刷シート
７      空洞部
８      外部部品
９      内部部品
１０    マイナスの段差
１１    印刷シート
１２    空洞部
１３    外部部品
１４    内部部品
１５    マイナスの段差
１６    印刷シート
１７    空洞部
１８    外部部品
１９    角柱の形状部品
２０    切りかき部
２１    印刷シート
２２    縁
２３    蓋
２４    空洞部分
２５    内部部品
２６    印刷シート
２７    空洞部
２８    外部部品
２９    接合用内ネジ２９
３０    三色ボールペンユニット
３１    ボールペン先端部
３２    接合用外ネジ
【図１】
2013159404.tif 000003
【図２】
2013159404.tif 000004
【図３】
2013159404.tif 000005
【図４】
2013159404.tif 000006
【図５】
2013159404.tif 000007
【図６】
2013159404.tif 000008